(57)【特許請求の範囲】
【請求項１】
印刷システムであって、
印刷制御装置と、
前記印刷制御装置からの印刷指令に基づいて印刷出力を行う印刷装置と、
を備え、
前記印刷制御装置は、
ユーザにより印刷対象として指定されたウェブページである指定ウェブページのＵＲＬを含む前記印刷指令を前記印刷装置に送信する送信手段、
前記印刷装置は、
前記指定ウェブページのＵＲＬを含む前記印刷指令を受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
前記特定手段により特定された前記関連ウェブページを印刷する印刷出力手段、
をさらに有し、
前記印刷出力手段は、前記印刷指令を受信する場合において、前記印刷指令で指定された前記指定ウェブページを印刷せず、前記特定手段により特定された前記関連ウェブページを前記指定ウェブページに代えて印刷し、
前記印刷装置は、
前記関連ウェブページを前記指定ウェブページに代えて印刷した旨を表示する表示手段、
をさらに有することを特徴とする印刷システム。
【請求項２】
印刷システムであって、
印刷制御装置と、
前記印刷制御装置からの印刷指令に基づいて印刷出力を行う印刷装置と、
を備え、
前記印刷制御装置は、
ユーザにより印刷対象として指定されたウェブページである指定ウェブページのＵＲＬを含む前記印刷指令を前記印刷装置に送信する送信手段、
を有し、
前記印刷装置は、
前記指定ウェブページのＵＲＬを含む前記印刷指令を受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を有し、
前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、
前記印刷装置は、
前記特定手段により特定された前記関連ウェブページを前記新たな印刷対象の候補としてプレビュー表示する表示手段、
をさらに有することを特徴とする印刷システム。
【請求項３】
請求項２に記載の印刷システムにおいて、
前記印刷装置は、
プレビュー表示された前記関連ウェブページを印刷出力すべき旨の指示を受け付ける入力手段、
をさらに有することを特徴とする印刷システム。
【請求項４】
請求項２に記載の印刷システムにおいて、
前記印刷装置は、
前記指定ウェブページとプレビュー表示された前記関連ウェブページとのいずれを印刷出力すべきかに関する指示を受け付ける入力手段、
をさらに有することを特徴とする印刷システム。
【請求項５】
印刷システムであって、
印刷制御装置と、
前記印刷制御装置からの印刷指令に基づいて印刷出力を行う印刷装置と、
を備え、
前記印刷制御装置は、
ユーザにより印刷対象として指定されたウェブページである指定ウェブページのＵＲＬを含む前記印刷指令を前記印刷装置に送信する送信手段、
を有し、
前記印刷装置は、
前記指定ウェブページのＵＲＬを含む前記印刷指令を受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を有し、
前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、
前記印刷制御装置は、
前記特定手段により特定された前記関連ウェブページを前記新たな印刷対象の候補としてプレビュー表示する表示手段、
をさらに有することを特徴とする印刷システム。
【請求項６】
請求項５に記載の印刷システムにおいて、
前記印刷制御装置は、
プレビュー表示された前記関連ウェブページを印刷出力すべき旨の指示を受け付ける入力手段、
をさらに有し、
前記送信手段は、前記指示に応じて前記関連ウェブページを印刷すべき旨を前記印刷装置に送信することを特徴とする印刷システム。
【請求項７】
印刷システムであって、
印刷制御装置と、
前記印刷制御装置からの印刷指令に基づいて印刷出力を行う印刷装置と、
を備え、
前記印刷制御装置は、
ユーザにより印刷対象として指定されたウェブページである指定ウェブページのＵＲＬを含む前記印刷指令を前記印刷装置に送信する送信手段、
を有し、
前記印刷装置は、
前記指定ウェブページのＵＲＬを含む前記印刷指令を受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
前記特定手段により特定された前記関連ウェブページを印刷する印刷出力手段と、
を有し、
前記印刷装置は、前記指定ウェブページを印刷出力するとともに、前記指定ウェブページの印刷出力と並行して前記関連ウェブページをプレビュー表示することを特徴とする印刷システム。
【請求項８】
印刷システムであって、
印刷制御装置と、
前記印刷制御装置からの印刷指令に基づいて印刷出力を行う印刷装置と、
を備え、
前記印刷制御装置は、
ユーザにより印刷対象として指定されたウェブページである指定ウェブページのＵＲＬを含む前記印刷指令を前記印刷装置に送信する送信手段、
を有し、
前記印刷装置は、
前記指定ウェブページのＵＲＬを含む前記印刷指令を受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を有し、
前記印刷装置は、前記指定ウェブページに対する印刷設定を引き継いで前記関連ウェブページを印刷出力することを特徴とする印刷システム。
【請求項９】
印刷システムであって、
印刷制御装置と、
前記印刷制御装置からの印刷指令に基づいて印刷出力を行う印刷装置と、
を備え、
前記印刷制御装置は、
ユーザにより印刷対象として指定されたウェブページである指定ウェブページのＵＲＬを含む前記印刷指令を前記印刷装置に送信する送信手段、
を有し、
前記印刷装置は、
前記指定ウェブページのＵＲＬを含む前記印刷指令を受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を有し、
前記印刷制御装置は、前記指定ウェブページにアクセスして前記指定ウェブページのページデータを取得し当該ページデータを解析することによって、前記指定ウェブページに対応する前記関連ウェブページを決定し、前記関連ウェブページのＵＲＬをも含む前記印刷指令を前記印刷装置に送信し、
前記印刷装置は、前記データテーブルに前記関連ウェブページが未だ登録されていない場合、前記印刷制御装置から受信した前記印刷指令に基づき、前記指定ウェブページに対応する前記関連ウェブページを特定することを特徴とする印刷システム。
【請求項１０】
請求項９に記載の印刷システムにおいて、
前記印刷装置は、前記データテーブルに前記関連ウェブページが未だ登録されていない場合、前記指定ウェブページの印刷出力と並行して前記関連ウェブページをプレビュー表示することを特徴とする印刷システム。
【請求項１１】
請求項９または請求項１０に記載の印刷システムにおいて、
前記印刷装置は、前記データテーブルに前記関連ウェブページが未だ登録されていない場合、前記関連ウェブページの印刷確認画面を表示するとともに、当該印刷確認画面での確認後に前記関連ウェブページが印刷されることに応じて、前記関連ウェブページのＵＲＬを前記指定ウェブページのＵＲＬに対応付けて前記データテーブルに自動的に登録することを特徴とする印刷システム。
【請求項１２】
請求項９または請求項１０に記載の印刷システムにおいて、
前記印刷装置は、前記データテーブルに前記関連ウェブページが未だ登録されていない場合、前記関連ウェブページの登録確認画面を表示するとともに、ユーザによる当該登録確認画面を用いた登録指示入力に応じて、前記関連ウェブページのＵＲＬを前記指定ウェブページのＵＲＬに対応付けて前記データテーブルに登録することを特徴とする印刷システム。
【請求項１３】
印刷システムであって、
印刷制御装置と、
前記印刷制御装置からの印刷指令に基づいて印刷出力を行う印刷装置と、
を備え、
前記印刷制御装置は、
ユーザにより印刷対象として指定されたウェブページである指定ウェブページのＵＲＬを含む前記印刷指令を前記印刷装置に送信する送信手段、
を有し、
前記印刷装置は、
前記指定ウェブページのＵＲＬを含む前記印刷指令を受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を有し、
前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、
前記印刷装置は、前記データテーブルに前記関連ウェブページが未だ登録されていない場合、前記指定ウェブページの印刷出力と並行して前記関連ウェブページをプレビュー表示することを特徴とする印刷システム。
【請求項１４】
印刷システムであって、
印刷制御装置と、
前記印刷制御装置からの印刷指令に基づいて印刷出力を行う印刷装置と、
を備え、
前記印刷制御装置は、
ユーザにより印刷対象として指定されたウェブページである指定ウェブページのＵＲＬを含む前記印刷指令を前記印刷装置に送信する送信手段、
を有し、
前記印刷装置は、
前記指定ウェブページのＵＲＬを含む前記印刷指令を受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を有し、
前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、
前記印刷装置は、前記データテーブルに前記関連ウェブページが未だ登録されていない場合、前記関連ウェブページの印刷確認画面を表示するとともに、当該印刷確認画面での確認後に前記関連ウェブページが印刷されることに応じて、前記関連ウェブページのＵＲＬを前記指定ウェブページのＵＲＬに対応付けて前記データテーブルに自動的に登録することを特徴とする印刷システム。
【請求項１５】
印刷システムであって、
印刷制御装置と、
前記印刷制御装置からの印刷指令に基づいて印刷出力を行う印刷装置と、
を備え、
前記印刷制御装置は、
ユーザにより印刷対象として指定されたウェブページである指定ウェブページのＵＲＬを含む前記印刷指令を前記印刷装置に送信する送信手段、
を有し、
前記印刷装置は、
前記指定ウェブページのＵＲＬを含む前記印刷指令を受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を有し、
前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、
前記印刷装置は、前記データテーブルに前記関連ウェブページが未だ登録されていない場合、前記関連ウェブページの登録確認画面を表示するとともに、ユーザによる当該登録確認画面を用いた登録指示入力に応じて、前記関連ウェブページのＵＲＬを前記指定ウェブページのＵＲＬに対応付けて前記データテーブルに登録することを特徴とする印刷システム。
【請求項１６】
印刷制御装置からの印刷指令に基づいて印刷出力を行う印刷装置であって、
ユーザにより印刷対象として指定されたウェブページである指定ウェブページのＵＲＬを含む印刷指令を、前記印刷制御装置から受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
前記特定手段により特定された前記関連ウェブページを印刷する印刷出力手段と、
を備え、
前記印刷出力手段は、前記印刷指令を受信する場合において、前記印刷指令で指定された前記指定ウェブページを印刷せず、前記特定手段により特定された前記関連ウェブページを前記指定ウェブページに代えて印刷し、
前記印刷装置は、
前記関連ウェブページを前記指定ウェブページに代えて印刷した旨を表示する表示手段、
をさらに有することを特徴とする印刷装置。
【請求項１７】
印刷制御装置からの印刷指令に基づいて印刷出力を行う印刷装置であって、
ユーザにより印刷対象として指定されたウェブページである指定ウェブページのＵＲＬを含む印刷指令を、前記印刷制御装置から受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を備え、
前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、
前記印刷装置は、
前記特定手段により特定された前記関連ウェブページを前記新たな印刷対象の候補としてプレビュー表示する表示手段、
をさらに有することを特徴とする印刷装置。
【請求項１８】
印刷制御装置からの印刷指令に基づいて印刷出力を行う印刷装置であって、
ユーザにより印刷対象として指定されたウェブページである指定ウェブページのＵＲＬを含む印刷指令を、前記印刷制御装置から受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を備え、
前記印刷装置は、前記指定ウェブページに対する印刷設定を引き継いで前記関連ウェブページを印刷出力することを特徴とする印刷装置。
【請求項１９】
印刷制御装置からの印刷指令に基づいて印刷出力を行う印刷装置であって、
ユーザにより印刷対象として指定されたウェブページである指定ウェブページのＵＲＬを含む印刷指令を、前記印刷制御装置から受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を備え、
前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、
前記印刷装置は、前記データテーブルに前記関連ウェブページが未だ登録されていない場合、前記指定ウェブページの印刷出力と並行して前記関連ウェブページをプレビュー表示することを特徴とする印刷装置。
【請求項２０】
印刷制御装置からの印刷指令に基づいて印刷出力を行う印刷装置であって、
ユーザにより印刷対象として指定されたウェブページである指定ウェブページのＵＲＬを含む印刷指令を、前記印刷制御装置から受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を備え、
前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、
前記印刷装置は、前記データテーブルに前記関連ウェブページが未だ登録されていない場合、前記関連ウェブページの印刷確認画面を表示するとともに、当該印刷確認画面での確認後に前記関連ウェブページが印刷されることに応じて、前記関連ウェブページのＵＲＬを前記指定ウェブページのＵＲＬに対応付けて前記データテーブルに自動的に登録することを特徴とする印刷装置。
【請求項２１】
印刷制御装置からの印刷指令に基づいて印刷出力を行う印刷装置であって、
ユーザにより印刷対象として指定されたウェブページである指定ウェブページのＵＲＬを含む印刷指令を、前記印刷制御装置から受信する通信手段と、
前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、
を備え、
前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、
前記印刷装置は、前記データテーブルに前記関連ウェブページが未だ登録されていない場合、前記関連ウェブページの登録確認画面を表示するとともに、ユーザによる当該登録確認画面を用いた登録指示入力に応じて、前記関連ウェブページのＵＲＬを前記指定ウェブページのＵＲＬに対応付けて前記データテーブルに登録することを特徴とする印刷装置。
【請求項２２】
印刷制御装置からの印刷指令に基づいて印刷出力を行う印刷装置に内蔵されたコンピュータに、
ａ）ユーザにより印刷対象として指定されたウェブページである指定ウェブページのＵＲＬを含む印刷指令を、前記印刷制御装置から受信するステップと、
ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、
ｃ）前記印刷指令を受信する場合において、前記印刷指令で指定された前記指定ウェブページを印刷せず、前記ステップｂ）にて特定された前記関連ウェブページを前記指定ウェブページに代えて印刷するステップと、
ｄ）前記関連ウェブページを前記指定ウェブページに代えて印刷した旨を表示するステップと、
を実行させるためのプログラム。
【請求項２３】
印刷制御装置からの印刷指令に基づいて印刷出力を行う印刷装置に内蔵されたコンピュータに、
ａ）ユーザにより印刷対象として指定されたウェブページである指定ウェブページのＵＲＬを含む印刷指令を、前記印刷制御装置から受信するステップと、
ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、
ｃ）前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定するステップと、
ｄ）前記ステップｃ）にて特定された前記関連ウェブページを前記新たな印刷対象の候補としてプレビュー表示するステップと、
を実行させるためのプログラム。
【請求項２４】
印刷制御装置からの印刷指令に基づいて印刷出力を行う印刷装置に内蔵されたコンピュータに、
ａ）ユーザにより印刷対象として指定されたウェブページである指定ウェブページのＵＲＬを含む印刷指令を、前記印刷制御装置から受信するステップと、
ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、
ｃ）前記指定ウェブページに対する印刷設定を引き継いで前記関連ウェブページを印刷出力するステップと、
を実行させるためのプログラム。
【請求項２５】
印刷制御装置からの印刷指令に基づいて印刷出力を行う印刷装置に内蔵されたコンピュータに、
ａ）ユーザにより印刷対象として指定されたウェブページである指定ウェブページのＵＲＬを含む印刷指令を、前記印刷制御装置から受信するステップと、
ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、
ｃ）前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定するステップと、
ｄ）前記データテーブルに前記関連ウェブページが未だ登録されていない場合、前記指定ウェブページの印刷出力と並行して前記関連ウェブページをプレビュー表示するステップと、
を実行させるためのプログラム。
【請求項２６】
印刷制御装置からの印刷指令に基づいて印刷出力を行う印刷装置に内蔵されたコンピュータに、
ａ）ユーザにより印刷対象として指定されたウェブページである指定ウェブページのＵＲＬを含む印刷指令を、前記印刷制御装置から受信するステップと、
ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、
ｃ）前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定するステップと、
ｄ）前記データテーブルに前記関連ウェブページが未だ登録されていない場合、前記関連ウェブページの印刷確認画面を表示するとともに、当該印刷確認画面での確認後に前記関連ウェブページが印刷されることに応じて、前記関連ウェブページのＵＲＬを前記指定ウェブページのＵＲＬに対応付けて前記データテーブルに自動的に登録するステップと、
を実行させるためのプログラム。
【請求項２７】
印刷制御装置からの印刷指令に基づいて印刷出力を行う印刷装置に内蔵されたコンピュータに、
ａ）ユーザにより印刷対象として指定されたウェブページである指定ウェブページのＵＲＬを含む印刷指令を、前記印刷制御装置から受信するステップと、
ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、
ｃ）前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定するステップと、
ｄ）前記データテーブルに前記関連ウェブページが未だ登録されていない場合、前記関連ウェブページの登録確認画面を表示するとともに、ユーザによる当該登録確認画面を用いた登録指示入力に応じて、前記関連ウェブページのＵＲＬを前記指定ウェブページのＵＲＬに対応付けて前記データテーブルに登録するステップと、
を実行させるためのプログラム。
【発明の詳細な説明】
【技術分野】
【０００１】
本発明は、ウェブページ（Ｗｅｂページ）の印刷技術に関する。
【背景技術】
【０００２】
ウェブページを印刷する技術が存在する。たとえば、引用文献１には、ウェブページの再印刷を効率的に行う技術が記載されている。
【先行技術文献】
【特許文献】
【０００３】
【特許文献１】特開２００８−２６９１５９号公報
【発明の概要】
【発明が解決しようとする課題】
【０００４】
ところで、ウェブページの中には、当該ウェブページに関連する印刷専用の関連ウェブページを有しているものが存在する。たとえば、複数の店舗を紹介するグルメサイトにおいて、各店舗の紹介ページは、クーポン券の印刷用のページ（関連ウェブページ）等を有している。本来は、当該印刷用ページを表示させた後に、当該印刷用ページを指定して印刷指示が付与されるべきである。換言すれば、本来印刷出力されるべきページは、元のウェブページではなく、当該関連ウェブページである。
【０００５】
しかしながら、ユーザは、このような関連ウェブページ（印刷用ウェブページ等）の存在に気付かずに、元のウェブページを印刷する印刷指示を付与してしまうことがある。この場合、従来技術では、当該印刷指示に従って元のウェブページのみが印刷出力される。本来出力されるべき関連ウェブページはそのままでは印刷されない。
【０００６】
そこで、この発明の課題は、本来印刷すべきウェブページをより確実に印刷することが可能な技術を提供することにある。
【課題を解決するための手段】
【０００７】
上記課題を解決すべく、請求項１の発明は、印刷システムであって、印刷制御装置と、前記印刷制御装置からの印刷指令に基づいて印刷出力を行う印刷装置と、を備え、前記印刷制御装置は、ユーザにより印刷対象として指定されたウェブページである指定ウェブページのＵＲＬを含む前記印刷指令を前記印刷装置に送信する送信手段、前記印刷装置は、前記指定ウェブページのＵＲＬを含む前記印刷指令を受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、前記特定手段により特定された前記関連ウェブページを印刷する印刷出力手段、をさらに有し、前記印刷出力手段は、前記印刷指令を受信する場合において、前記印刷指令で指定された前記指定ウェブページを印刷せず、前記特定手段により特定された前記関連ウェブページを前記指定ウェブページに代えて印刷し、前記印刷装置は、前記関連ウェブページを前記指定ウェブページに代えて印刷した旨を表示する表示手段、をさらに有することを特徴とする。
【０００８】
請求項２の発明は、印刷システムであって、印刷制御装置と、前記印刷制御装置からの印刷指令に基づいて印刷出力を行う印刷装置と、を備え、前記印刷制御装置は、ユーザにより印刷対象として指定されたウェブページである指定ウェブページのＵＲＬを含む前記印刷指令を前記印刷装置に送信する送信手段、を有し、前記印刷装置は、前記指定ウェブページのＵＲＬを含む前記印刷指令を受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を有し、前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、前記印刷装置は、前記特定手段により特定された前記関連ウェブページを前記新たな印刷対象の候補としてプレビュー表示する表示手段、をさらに有することを特徴とする。
【０００９】
請求項３の発明は、請求項２の発明に係る印刷システムにおいて、前記印刷装置は、プレビュー表示された前記関連ウェブページを印刷出力すべき旨の指示を受け付ける入力手段、をさらに有することを特徴とする。
【００１０】
請求項４の発明は、請求項２の発明に係る印刷システムにおいて、前記印刷装置は、前記指定ウェブページとプレビュー表示された前記関連ウェブページとのいずれを印刷出力すべきかに関する指示を受け付ける入力手段、をさらに有することを特徴とする。
【００１１】
請求項５の発明は、印刷システムであって、印刷制御装置と、前記印刷制御装置からの印刷指令に基づいて印刷出力を行う印刷装置と、を備え、前記印刷制御装置は、ユーザにより印刷対象として指定されたウェブページである指定ウェブページのＵＲＬを含む前記印刷指令を前記印刷装置に送信する送信手段、を有し、前記印刷装置は、前記指定ウェブページのＵＲＬを含む前記印刷指令を受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を有し、前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、前記印刷制御装置は、前記特定手段により特定された前記関連ウェブページを前記新たな印刷対象の候補としてプレビュー表示する表示手段、をさらに有することを特徴とする。
【００１２】
請求項６の発明は、請求項５の発明に係る印刷システムにおいて、前記印刷制御装置は、プレビュー表示された前記関連ウェブページを印刷出力すべき旨の指示を受け付ける入力手段、をさらに有し、前記送信手段は、前記指示に応じて前記関連ウェブページを印刷すべき旨を前記印刷装置に送信することを特徴とする。
【００１３】
請求項７の発明は、印刷システムであって、印刷制御装置と、前記印刷制御装置からの印刷指令に基づいて印刷出力を行う印刷装置と、を備え、前記印刷制御装置は、ユーザにより印刷対象として指定されたウェブページである指定ウェブページのＵＲＬを含む前記印刷指令を前記印刷装置に送信する送信手段、を有し、前記印刷装置は、前記指定ウェブページのＵＲＬを含む前記印刷指令を受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、前記特定手段により特定された前記関連ウェブページを印刷する印刷出力手段と、を有し、前記印刷装置は、前記指定ウェブページを印刷出力するとともに、前記指定ウェブページの印刷出力と並行して前記関連ウェブページをプレビュー表示することを特徴とする。
【００１４】
請求項８の発明は、印刷システムであって、印刷制御装置と、前記印刷制御装置からの印刷指令に基づいて印刷出力を行う印刷装置と、を備え、前記印刷制御装置は、ユーザにより印刷対象として指定されたウェブページである指定ウェブページのＵＲＬを含む前記印刷指令を前記印刷装置に送信する送信手段、を有し、前記印刷装置は、前記指定ウェブページのＵＲＬを含む前記印刷指令を受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を有し、前記印刷装置は、前記指定ウェブページに対する印刷設定を引き継いで前記関連ウェブページを印刷出力することを特徴とする。
【００１５】
請求項９の発明は、印刷システムであって、印刷制御装置と、前記印刷制御装置からの印刷指令に基づいて印刷出力を行う印刷装置と、を備え、前記印刷制御装置は、ユーザにより印刷対象として指定されたウェブページである指定ウェブページのＵＲＬを含む前記印刷指令を前記印刷装置に送信する送信手段、を有し、前記印刷装置は、前記指定ウェブページのＵＲＬを含む前記印刷指令を受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を有し、前記印刷制御装置は、前記指定ウェブページにアクセスして前記指定ウェブページのページデータを取得し当該ページデータを解析することによって、前記指定ウェブページに対応する前記関連ウェブページを決定し、前記関連ウェブページのＵＲＬをも含む前記印刷指令を前記印刷装置に送信し、前記印刷装置は、前記データテーブルに前記関連ウェブページが未だ登録されていない場合、前記印刷制御装置から受信した前記印刷指令に基づき、前記指定ウェブページに対応する前記関連ウェブページを特定することを特徴とする。
【００１６】
請求項１０の発明は、請求項９の発明に係る印刷システムにおいて、前記印刷装置は、前記データテーブルに前記関連ウェブページが未だ登録されていない場合、前記指定ウェブページの印刷出力と並行して前記関連ウェブページをプレビュー表示することを特徴とする。
【００１７】
請求項１１の発明は、請求項９または請求項１０の発明に係る印刷システムにおいて、前記印刷装置は、前記データテーブルに前記関連ウェブページが未だ登録されていない場合、前記関連ウェブページの印刷確認画面を表示するとともに、当該印刷確認画面での確認後に前記関連ウェブページが印刷されることに応じて、前記関連ウェブページのＵＲＬを前記指定ウェブページのＵＲＬに対応付けて前記データテーブルに自動的に登録することを特徴とする。
【００１８】
請求項１２の発明は、請求項９または請求項１０の発明に係る印刷システムにおいて、前記印刷装置は、前記データテーブルに前記関連ウェブページが未だ登録されていない場合、前記関連ウェブページの登録確認画面を表示するとともに、ユーザによる当該登録確認画面を用いた登録指示入力に応じて、前記関連ウェブページのＵＲＬを前記指定ウェブページのＵＲＬに対応付けて前記データテーブルに登録することを特徴とする。
【００１９】
請求項１３の発明は、印刷システムであって、印刷制御装置と、前記印刷制御装置からの印刷指令に基づいて印刷出力を行う印刷装置と、を備え、前記印刷制御装置は、ユーザにより印刷対象として指定されたウェブページである指定ウェブページのＵＲＬを含む前記印刷指令を前記印刷装置に送信する送信手段、を有し、前記印刷装置は、前記指定ウェブページのＵＲＬを含む前記印刷指令を受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を有し、前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、前記印刷装置は、前記データテーブルに前記関連ウェブページが未だ登録されていない場合、前記指定ウェブページの印刷出力と並行して前記関連ウェブページをプレビュー表示することを特徴とする。
【００２０】
請求項１４の発明は、印刷システムであって、印刷制御装置と、前記印刷制御装置からの印刷指令に基づいて印刷出力を行う印刷装置と、を備え、前記印刷制御装置は、ユーザにより印刷対象として指定されたウェブページである指定ウェブページのＵＲＬを含む前記印刷指令を前記印刷装置に送信する送信手段、を有し、前記印刷装置は、前記指定ウェブページのＵＲＬを含む前記印刷指令を受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を有し、前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、前記印刷装置は、前記データテーブルに前記関連ウェブページが未だ登録されていない場合、前記関連ウェブページの印刷確認画面を表示するとともに、当該印刷確認画面での確認後に前記関連ウェブページが印刷されることに応じて、前記関連ウェブページのＵＲＬを前記指定ウェブページのＵＲＬに対応付けて前記データテーブルに自動的に登録することを特徴とする。
【００２１】
請求項１５の発明は、印刷システムであって、印刷制御装置と、前記印刷制御装置からの印刷指令に基づいて印刷出力を行う印刷装置と、を備え、前記印刷制御装置は、ユーザにより印刷対象として指定されたウェブページである指定ウェブページのＵＲＬを含む前記印刷指令を前記印刷装置に送信する送信手段、を有し、前記印刷装置は、前記指定ウェブページのＵＲＬを含む前記印刷指令を受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を有し、前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、前記印刷装置は、前記データテーブルに前記関連ウェブページが未だ登録されていない場合、前記関連ウェブページの登録確認画面を表示するとともに、ユーザによる当該登録確認画面を用いた登録指示入力に応じて、前記関連ウェブページのＵＲＬを前記指定ウェブページのＵＲＬに対応付けて前記データテーブルに登録することを特徴とする。
【００２２】
請求項１６の発明は、印刷制御装置からの印刷指令に基づいて印刷出力を行う印刷装置であって、ユーザにより印刷対象として指定されたウェブページである指定ウェブページのＵＲＬを含む印刷指令を、前記印刷制御装置から受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、前記特定手段により特定された前記関連ウェブページを印刷する印刷出力手段と、を備え、前記印刷出力手段は、前記印刷指令を受信する場合において、前記印刷指令で指定された前記指定ウェブページを印刷せず、前記特定手段により特定された前記関連ウェブページを前記指定ウェブページに代えて印刷し、前記印刷装置は、前記関連ウェブページを前記指定ウェブページに代えて印刷した旨を表示する表示手段、をさらに有することを特徴とする。
【００２３】
請求項１７の発明は、印刷制御装置からの印刷指令に基づいて印刷出力を行う印刷装置であって、ユーザにより印刷対象として指定されたウェブページである指定ウェブページのＵＲＬを含む印刷指令を、前記印刷制御装置から受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を備え、前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、前記印刷装置は、前記特定手段により特定された前記関連ウェブページを前記新たな印刷対象の候補としてプレビュー表示する表示手段、をさらに有することを特徴とする。
【００２４】
請求項１８の発明は、印刷制御装置からの印刷指令に基づいて印刷出力を行う印刷装置であって、ユーザにより印刷対象として指定されたウェブページである指定ウェブページのＵＲＬを含む印刷指令を、前記印刷制御装置から受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を備え、前記印刷装置は、前記指定ウェブページに対する印刷設定を引き継いで前記関連ウェブページを印刷出力することを特徴とする。
【００２５】
請求項１９の発明は、印刷制御装置からの印刷指令に基づいて印刷出力を行う印刷装置であって、ユーザにより印刷対象として指定されたウェブページである指定ウェブページのＵＲＬを含む印刷指令を、前記印刷制御装置から受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を備え、前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、前記印刷装置は、前記データテーブルに前記関連ウェブページが未だ登録されていない場合、前記指定ウェブページの印刷出力と並行して前記関連ウェブページをプレビュー表示することを特徴とする。
【００２６】
請求項２０の発明は、印刷制御装置からの印刷指令に基づいて印刷出力を行う印刷装置であって、ユーザにより印刷対象として指定されたウェブページである指定ウェブページのＵＲＬを含む印刷指令を、前記印刷制御装置から受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を備え、前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、前記印刷装置は、前記データテーブルに前記関連ウェブページが未だ登録されていない場合、前記関連ウェブページの印刷確認画面を表示するとともに、当該印刷確認画面での確認後に前記関連ウェブページが印刷されることに応じて、前記関連ウェブページのＵＲＬを前記指定ウェブページのＵＲＬに対応付けて前記データテーブルに自動的に登録することを特徴とする。
【００２７】
請求項２１の発明は、印刷制御装置からの印刷指令に基づいて印刷出力を行う印刷装置であって、ユーザにより印刷対象として指定されたウェブページである指定ウェブページのＵＲＬを含む印刷指令を、前記印刷制御装置から受信する通信手段と、前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定する特定手段と、を備え、前記特定手段は、前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定し、前記印刷装置は、前記データテーブルに前記関連ウェブページが未だ登録されていない場合、前記関連ウェブページの登録確認画面を表示するとともに、ユーザによる当該登録確認画面を用いた登録指示入力に応じて、前記関連ウェブページのＵＲＬを前記指定ウェブページのＵＲＬに対応付けて前記データテーブルに登録することを特徴とする。
【００２８】
請求項２２の発明は、印刷制御装置からの印刷指令に基づいて印刷出力を行う印刷装置に内蔵されたコンピュータに、ａ）ユーザにより印刷対象として指定されたウェブページである指定ウェブページのＵＲＬを含む印刷指令を、前記印刷制御装置から受信するステップと、ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、ｃ）前記印刷指令を受信する場合において、前記印刷指令で指定された前記指定ウェブページを印刷せず、前記ステップｂ）にて特定された前記関連ウェブページを前記指定ウェブページに代えて印刷するステップと、ｄ）前記関連ウェブページを前記指定ウェブページに代えて印刷した旨を表示するステップと、を実行させるためのプログラムであることを特徴とする。
請求項２３の発明は、印刷制御装置からの印刷指令に基づいて印刷出力を行う印刷装置に内蔵されたコンピュータに、ａ）ユーザにより印刷対象として指定されたウェブページである指定ウェブページのＵＲＬを含む印刷指令を、前記印刷制御装置から受信するステップと、ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、ｃ）前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定するステップと、ｄ）前記ステップｃ）にて特定された前記関連ウェブページを前記新たな印刷対象の候補としてプレビュー表示するステップと、を実行させるためのプログラムであることを特徴とする。
請求項２４の発明は、印刷制御装置からの印刷指令に基づいて印刷出力を行う印刷装置に内蔵されたコンピュータに、ａ）ユーザにより印刷対象として指定されたウェブページである指定ウェブページのＵＲＬを含む印刷指令を、前記印刷制御装置から受信するステップと、ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、ｃ）前記指定ウェブページに対する印刷設定を引き継いで前記関連ウェブページを印刷出力するステップと、を実行させるためのプログラムであることを特徴とする。
請求項２５の発明は、印刷制御装置からの印刷指令に基づいて印刷出力を行う印刷装置に内蔵されたコンピュータに、ａ）ユーザにより印刷対象として指定されたウェブページである指定ウェブページのＵＲＬを含む印刷指令を、前記印刷制御装置から受信するステップと、ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、ｃ）前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定するステップと、ｄ）前記データテーブルに前記関連ウェブページが未だ登録されていない場合、前記指定ウェブページの印刷出力と並行して前記関連ウェブページをプレビュー表示するステップと、を実行させるためのプログラムであることを特徴とする。
請求項２６の発明は、印刷制御装置からの印刷指令に基づいて印刷出力を行う印刷装置に内蔵されたコンピュータに、ａ）ユーザにより印刷対象として指定されたウェブページである指定ウェブページのＵＲＬを含む印刷指令を、前記印刷制御装置から受信するステップと、ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、ｃ）前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定するステップと、ｄ）前記データテーブルに前記関連ウェブページが未だ登録されていない場合、前記関連ウェブページの印刷確認画面を表示するとともに、当該印刷確認画面での確認後に前記関連ウェブページが印刷されることに応じて、前記関連ウェブページのＵＲＬを前記指定ウェブページのＵＲＬに対応付けて前記データテーブルに自動的に登録するステップと、を実行させるためのプログラムであることを特徴とする。
請求項２７の発明は、印刷制御装置からの印刷指令に基づいて印刷出力を行う印刷装置に内蔵されたコンピュータに、ａ）ユーザにより印刷対象として指定されたウェブページである指定ウェブページのＵＲＬを含む印刷指令を、前記印刷制御装置から受信するステップと、ｂ）前記指定ウェブページのＵＲＬと前記指定ウェブページに関連する関連ウェブページのＵＲＬとが対応付けて登録されたデータテーブルを参照し、前記指定ウェブページに対応する前記関連ウェブページを新たな印刷対象の候補として特定するステップと、ｃ）前記データテーブルに前記関連ウェブページが未だ登録されていない場合、前記指定ウェブページにアクセスして前記指定ウェブページのページデータを取得し当該ページデータを解析することによって、前記指定ウェブページに対応する前記関連ウェブページを特定するステップと、ｄ）前記データテーブルに前記関連ウェブページが未だ登録されていない場合、前記関連ウェブページの登録確認画面を表示するとともに、ユーザによる当該登録確認画面を用いた登録指示入力に応じて、前記関連ウェブページのＵＲＬを前記指定ウェブページのＵＲＬに対応付けて前記データテーブルに登録するステップと、を実行させるためのプログラムであることを特徴とする。
【発明の効果】
【００２９】
請求項１ないし請求項２７に記載の発明によれば、指定ウェブページのＵＲＬと指定ウェブページに関連する関連ウェブページのＵＲＬとが対応付けて登録されたデータテーブルを参照し、指定ウェブページに対応する関連ウェブページが新たな印刷対象の候補として特定されるので、本来印刷すべきウェブページをより確実に印刷することが可能である。
【図面の簡単な説明】
【００３１】
【図１】印刷システムの構成を示す概略図である。
【図２】印刷装置の概略構成を示す機能ブロック図である。
【図３】印刷制御装置のハードウエア構成を示す概略図である。
【図４】印刷制御装置の動作を示すフローチャートである。
【図５】印刷装置の動作を示すフローチャートである。
【図６】印刷装置の動作を示すフローチャートである。
【図７】印刷装置および印刷制御装置等の動作例を示すタイミングチャートである。
【図８】指定ウェブページの一例を示す図である。
【図９】関連ウェブページの一例を示す図である。
【図１０】印刷用データの一例を示す図である。
【図１１】印刷用データの一例を示す図である。
【図１２】データテーブルの登録例を示す図である。
【図１３】データテーブルの登録例（追加後）を示す図である。
【図１４】指定ウェブページのページ記述データの一部を示す図である。
【図１５】関連ウェブページの印刷確認画面を示す図である。
【図１６】関連ウェブページの登録確認画面を示す図である。
【図１７】警告画面を示す図である。
【図１８】印刷装置の動作を示すフローチャートである。
【図１９】印刷装置の変形例に係る動作を示すフローチャートである。
【図２０】印刷対象を選択する選択画面を示す図である。
【図２１】第２実施形態に係る指定ウェブページ（入力画面）を示す図である。
【図２２】第２実施形態に係る関連ウェブページ（正規の印刷画面）を示す図である。
【図２３】第３実施形態に係る印刷用データを示す図である。
【図２４】第３実施形態の動作例を示すタイミングチャートである。
【図２５】改変例において印刷装置宛に送信されるデータを示す図である。
【図２６】関連ウェブページの手動登録画面を示す図である。
【発明を実施するための形態】
【００３２】
以下、本発明の実施形態を図面に基づいて説明する。
【００３３】
＜１．第１実施形態＞
＜１−１．システム構成＞
図１は、印刷システム１の構成を示す概略図である。
【００３４】
図１に示すように印刷システム１は、印刷装置１０と印刷制御装置５０（５０ａ，５０ｂ）とウェブサーバ９０とを備えて構成される。印刷装置１０は、印刷制御装置５０からの印刷出力要求をネットワーク１０８を介して受け付け、ウェブサーバ９０内に格納されたウェブページに関する印刷出力を行う。ここでは、印刷装置１０として、ＭＦＰ（マルチ・ファンクション・ペリフェラル（Multi-Functional Peripheral）が例示される。また、印刷装置１０に対して当該印刷装置１０による印刷出力を要求する印刷制御装置（印刷要求装置）５０として、コンピュータ（より詳細にはパーソナルコンピュータ）５０が例示される。ただし、これに限定されず、たとえば、印刷装置１０は、単機能プリンタ等であってもよい。また、印刷制御装置５０は、パーソナルコンピュータに限定されず、たとえば、タブレット端末あるいはスマートフォン等であってもよい。
【００３５】
印刷装置１０と印刷制御装置５０とウェブサーバ９０とは、ネットワーク（通信ネットワーク）１０８を介して互いに接続される。ネットワーク１０８は、ＬＡＮ（Local Area Network）およびインターネットなどによって構成される。また、ネットワーク１０８に対する接続態様は、有線接続であってもよく、或いは無線接続であってもよい。たとえば、印刷装置１０はネットワーク１０８に対して有線接続され、印刷制御装置５０はネットワーク１０８に対して無線接続される。
【００３６】
印刷システム１においては、印刷装置１０に対する印刷出力要求を印刷制御装置５０を用いて行うことが可能である。すなわち、印刷制御装置５０は、所望のウェブページを印刷装置１０に印刷出力させることが可能である。たとえば、印刷制御装置５０には印刷装置１０用のプリンタドライバがインストールされており、当該プリンタドライバを利用して印刷装置１０にて所望のウェブページ等を印刷出力させることができる。
【００３７】
印刷制御装置５０においてはウェブブラウザ８０（図１参照）がインストールされている。ウェブブラウザ８０は、ウェブサーバ９０から受信した各種の情報を含む画面を表示することが可能である。また、ウェブブラウザ８０は、当該画面の印刷指令を印刷装置１０に対して送出することもできる。
【００３８】
＜１−２．ＭＦＰの構成＞
図２は、ＭＦＰ（印刷装置）１０の概略構成を示す機能ブロック図である。ＭＦＰ１０は、スキャン機能、コピー機能、ファクシミリ機能およびプリント機能などを備える装置（複合機とも称する）である。
【００３９】
ウェブサーバ９０の各種のウェブページデータ（詳細には、当該ウェブサーバ９０からウェブブラウザ８０に送信される各種のウェブページデータ）は、ページ記述言語（ＨＴＭＬ（HyperText Markup Language）等）およびスクリプト言語（JavaScript（登録商標）等）によって記述されている。
【００４０】
図２の機能ブロック図に示すように、ＭＦＰ１０は、画像読取部２、印刷出力部３、通信部４、格納部５、操作部６およびコントローラ９等を備えており、これらの各部を複合的に動作させることによって、各種の機能を実現する。
【００４１】
画像読取部２は、ＭＦＰ１０の所定の位置に載置された原稿を光学的に読み取って（すなわちスキャンして）、当該原稿の画像データ（原稿画像ないしスキャン画像とも称する）を生成する処理部である。この画像読取部２は、スキャン部であるとも称される。
【００４２】
印刷出力部３は、印刷対象に関するデータに基づいて紙などの各種の媒体に画像を印刷出力する出力部である。なお、印刷出力部３は、各種の媒体上に画像を形成する画像形成部とも称される。
【００４３】
通信部４は、公衆回線等を介したファクシミリ通信を行うことが可能な処理部である。さらに、通信部４は、ネットワーク１０８を介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（たとえば、コンピュータ５０）との間で各種のデータを授受することが可能である。通信部４は、各種データを送信する送信部４ａと各種データを受信する受信部４ｂとを有する。
【００４４】
格納部５は、ハードディスクドライブ（ＨＤＤ）等の記憶装置で構成される。格納部５は、各操作画面の表示用データ等を記憶する。また、格納部５には、データテーブル４１０が格納されている。データテーブル４１０（図１２等）は、印刷ミスに関する情報（履歴情報等）を蓄積するデータテーブルであり、印刷ミス蓄積データテーブルなどとも称される。このデータテーブル４１０には、ユーザにより印刷対象として指定されるウェブページ（指定ウェブページ）と当該指定ウェブページに対応する関連ウェブページとの対応関係等が格納される。たとえば、或るユーザによって印刷指示が過誤により付与されたウェブページ（指定ウェブページ）のＵＲＬと本来印刷すべきであった関連ウェブページのＵＲＬとの対応関係等がデータテーブル４１０（図１２参照）において規定される。また、データテーブル４１０においては、印刷対象を指定ウェブページから関連ウェブページへと強制的に変更する設定（「強制変更設定」とも称する）の有効性を示すフラグ情報（「有効／無効」）も規定される。さらに、データテーブル４１０には、関連ウェブページの検索処理（後述）の検索条件（検索対象文字列）および検索処理の有効性に関する情報も規定される。
【００４５】
操作部６は、ＭＦＰ１０に対する操作入力を受け付ける操作入力部６ａと、各種情報の表示出力を行う表示部６ｂとを備えている。
【００４６】
このＭＦＰ１０においては、略板状の操作パネル６ｃ（図１参照）が設けられている。また、操作パネル６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作者からの各種の操作入力を受け付けることが可能である。
【００４７】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステム（コンピュータ）として構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体、あるいはネットワーク１０８等を介してＭＦＰ１０にインストールされてもよい。
【００４８】
図２に示すように、コントローラ９は、上記プログラムの実行により、通信制御部１１と入力制御部１２と表示制御部１３と特定部１５とを含む各種の処理部を実現する。
【００４９】
通信制御部１１は、他の装置（印刷制御装置５０等）との間の通信動作を制御する処理部である。
【００５０】
入力制御部１２は、操作入力部６ａ（タッチパネル２５等）に対する操作入力動作を制御する制御部である。たとえば、入力制御部１２は、タッチパネル２５に表示された操作画面に対する操作入力を受け付ける動作を制御する。
【００５１】
表示制御部１３は、表示部６ｂ（タッチパネル２５等）における表示動作を制御する処理部である。表示制御部１３は、ＭＦＰ１０を操作するための操作画面等をタッチパネル２５に表示させる。
【００５２】
特定部１５は、指定ウェブページに対応する関連ウェブページを特定する処理を実行する処理部である。特定部１５は、データテーブル４１０に基づいて、指定ウェブページに対応する関連ウェブページを特定する処理を実行する。また、特定部１５は、指定ウェブページのページデータ（ページ記述言語によって記述されたデータ）を解析して、指定ウェブページに関連する関連ウェブページを特定する処理をも行う。
【００５３】
＜１−３．印刷制御装置５０の構成＞
つぎに、印刷制御装置（外部端末とも称する）５０の構成について説明する。
【００５４】
印刷制御装置５０は、他の装置との間でのネットワーク通信が可能な情報処理装置である。ここでは、印刷制御装置５０として、パーソナルコンピュータを例示する。印刷制御装置５０は、携帯式の装置であってもよく、据置型の装置であってもよい。
【００５５】
印刷制御装置５０は、図３に示すように、ＣＰＵ５２、半導体メモリ（ＲＡＭ等）５３、ハードディスクドライブ５４、表示部（液晶表示部等）５５、入力部（キーボード、マウス等）５６、および通信部５７を備えて構成される。印刷制御装置５０は、そのＣＰＵ５２等を用いて各種のプログラムを実行することによって様々な機能を実現する。図３は、印刷制御装置（印刷制御装置とも称される）５０のハードウエア構成を示す概略図である。
【００５６】
ＣＰＵ５２において、ハードディスクドライブ５４および／または半導体メモリ５３に格納されている所定のソフトウエアプログラム（以下、単にプログラムとも称する）を実行することによって、各種の処理部が実現する。なお、当該プログラムは、ＵＳＢメモリなどの可搬性の記録媒体、あるいはネットワーク１０８等を介して印刷制御装置５０にインストールされるようにしてもよい。
【００５７】
当該プログラムには、たとえば、ウェブブラウザアプリケーションプログラム（以下、単に「ウェブブラウザ」あるいは「ブラウザ」とも称する）８０が含まれる。当該ウェブブラウザ８０は、各種のウェブサーバとの間で各種のデータを授受することが可能である。
【００５８】
当該ウェブブラウザ８０は、レンダリングエンジンおよびスクリプトエンジンを備えており、ウェブサーバから送信されてきたデータに基づいて、各種の画面等を印刷制御装置５０の表示部５５に表示するとともに各種の処理を実行することが可能である。なお、ウェブサーバから送信されてくる当該データは、ページ記述言語（ＨＴＭＬ等）およびスクリプト（JavaScript（登録商標）等）によって記述されている。
【００５９】
通信部５７は、ネットワーク１０８を介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、印刷制御装置５０は、所望の相手先（印刷装置１０等）との間で各種のデータを授受することが可能である。通信部５７は、各種データを送信する送信部と各種データを受信する受信部とを有する。
【００６０】
＜１−４．動作＞
図４は印刷制御装置５０の動作を示すフローチャートであり、図５、図６および図１８は印刷装置１０の動作を示すフローチャートである。また、図７は、印刷装置１０および印刷制御装置５０等の動作例を示すタイミングチャートである。これらの図等を参照しながら、本システム１における動作について説明する。
【００６１】
図４に示すように、印刷制御装置５０は、まずステップＳ１１において、ユーザＵＡからの印刷指示を受け付ける。たとえば、印刷制御装置５０（詳細には５０ａ）のウェブブラウザ８０で特定ＵＲＬ（Uniform Resource Locator）のウェブページ２１０（図８等）が閲覧されているときに、当該閲覧中のウェブページ２１０（図８）の印刷指示がユーザＵＡにより付与される。より詳細には、当該特定ＵＲＬを指定したＨＴＴＰリクエストが印刷制御装置５０からウェブサーバ９０に送信され、ウェブサーバ９０から印刷制御装置５０に対してＨＴＴＰレスポンスが返され（図７の冒頭部分参照）、当該ＨＴＴＰレスポンスに含まれるデータに基づく画面が表示されているときに、ウェブページ２１０の印刷指示がユーザＵＡにより付与される。あるいは、文書作成ソフトウエア（ワードプロセッサ等）において或る文書が生成されているときに、当該作成中の文書の印刷指示がユーザＵＡにより付与される。このように、ウェブページあるいは非ウェブページを印刷対象とする印刷指示が、ユーザＵＡから印刷制御装置５０に対して付与される。
【００６２】
次のステップＳ１２においては、ユーザＵＡからの印刷指示における印刷対象がウェブページであるか否か、が判定される。印刷対象がウェブページであると判定されるときには、ステップＳ１３に進み、印刷対象がウェブページではないと判定されるときには、ステップＳ１４に進む。
【００６３】
ステップＳ１４では、通常の印刷ジョブが生成される。たとえば、印刷制御装置５０内の文書の印刷指示がステップＳ１１で付与された場合には、印刷制御装置５０は、プリンタドライバ等を用いて、印刷用データ３１０（ＰＪＬ（Printer Job Language）等で記述されたデータ）を生成する。当該印刷用データ３１０が印刷制御装置５０から印刷装置１０に送信される。図１０は、印刷用データ３１０の一例を示す図である。図１０の印刷用データ３１０（３１５）においては、指定ウェブページ印刷用の画像データ等が含まれている。
【００６４】
ステップＳ１３では、ウェブページ印刷用の特有の処理が実行される。具体的には、印刷制御装置５０は、プリンタドライバ等を用いて、図１１に示すような印刷用データ３１０（ＰＪＬ等で記述されたデータ）を生成する。図１１と図１０とを比較すると判るように、図１１の印刷用データ３１０（３１１）においては、図１０の印刷用データ３１０（３１５）と同じ内容に加えて、指定ウェブページ２１０（ステップＳ１１にてユーザにより印刷対象として指定されたウェブページ）のＵＲＬもが記述されている（「@PJL SET DOCUMENT_WEBURL = http://xxx_yyy_zzz.com/」）。そして、当該印刷用データ３１１（換言すれば、指定ウェブページのＵＲＬを含む印刷指令）が、印刷制御装置５０から印刷装置１０へと送信される。
【００６５】
なお、この実施形態においては、印刷制御装置５０を用いて印刷指示を付与したユーザＵＡは、印刷出力物を受け取るために、自席等から印刷装置１０の載置場所に移動するものとする。
【００６６】
一方、図５に示すように、印刷装置１０は、印刷制御装置５０からの印刷指令をステップＳ３１において受け付けると、印刷指令の内容に基づく判定処理等をステップＳ３２以降において実行する。
【００６７】
まず、ステップＳ３２において、印刷装置１０は、印刷指令に指定ＵＲＬが含まれているか否かを判定する。
【００６８】
ステップＳ３２において印刷指令に指定ＵＲＬが含まれていないと判定されると、印刷装置１０は、非ウェブページに関する印刷指令が付与された旨を判定し、ステップＳ３２からステップＳ９０に進む。ステップＳ９０では、通常の印刷処理が行われる。具体的には、印刷装置１０は、印刷制御装置５０から送信されてきた印刷用データ３１０（３１５）に基づいて、印刷処理（印刷出力処理）を実行する。
【００６９】
ステップＳ３２において印刷指令に指定ＵＲＬが含まれていると判定されると、印刷装置１０は、ウェブページに関する印刷指令が付与された旨を判定し、ステップＳ３２からステップＳ３３に進む。
【００７０】
ステップＳ３３では、データテーブル４１０を参照して判定処理が行われる。ステップＳ３３では、データテーブル４１０に指定ウェブページ２１０（指定ＵＲＬ）が既に登録されているか否かが判定される。指定ウェブページ２１０が既に登録されていると判定されるときには、ステップＳ３４に進み、指定ウェブページ２１０が登録されていない（ひいては関連ウェブページが登録されていない）と判定されるときには、ステップＳ４１（図６）に進む。ここでは、指定ウェブページ２１０がデータテーブル４１０に未だ登録されておらず、ステップＳ４１に進むものとして、説明を続ける。
【００７１】
ステップＳ４１（図６）において、印刷装置１０は、ここでは、印刷指令に含まれていた指定ＵＲＬに係るウェブページ（指定ウェブページ）２１０を当該印刷指令に基づきそのまま印刷する。
【００７２】
次のステップＳ４２において、印刷装置１０は、ページ記述言語によって記述された指定ウェブページ２１０を解析して、指定ウェブページ２１０に関連する関連ウェブページ２２０を特定する。より詳細には、印刷装置１０は、指定ウェブページ２１０（図８参照）にアクセスして指定ウェブページ２１０のページデータを取得し、当該ページデータを解析することによって、指定ウェブページ２１０に対応する関連ウェブページ２２０（図９参照）を特定する。図８は、ユーザにより印刷指示が付与されたウェブページ（指定ウェブページ）２１０の一例を示す図であり、図９は、本来印刷されるべき印刷用のウェブページ２２０の一例を示す図である。
【００７３】
具体的には、まず、印刷装置１０は、ウェブサーバ９０内の指定ＵＲＬ（指定ウェブページ２１０のＵＲＬ）を指定したＨＴＴＰリクエストをウェブサーバ９０に送信し、ウェブサーバ９０からのＨＴＴＰレスポンスを受信する。そして、印刷装置１０は、当該ＨＴＴＰレスポンスで受信したレスポンスデータ（指定ウェブページ２１０のページ記述データ（たとえばＨＴＭＬ（HyperText Markup Language）データ）等）に基づいて、当該指定ウェブページ２１０の解析処理を行う。図１４は、閲覧中のウェブページ（指定ウェブページ）２１０のソースコード（ページ記述データ）２３０の一部を示す図である。
【００７４】
この指定ウェブページ２１０（図８参照）には、（クーポンの見本は含まれているが）本来のクーポン自体は含まれていないものとする。また、指定ウェブページ２１０には、店舗で利用可能な「クーポン」を印刷するための印刷ボタン２１４等が含まれている。当該印刷ボタン２１４が押下されると、クーポンの印刷用画面（関連ウェブページ２２０）（図９参照）に移動（ジャンプ）する。当該関連ウェブページ２２０は、指定ウェブページ２１０とは若干異なる外観を有している。
【００７５】
指定ウェブページ２１０のページ記述データ２３０においては、当該印刷ボタン２１４に関するタグ部分に、移動先のウェブページ（関連ウェブページ２２０）のＵＲＬが記述されていることが多い。
【００７６】
たとえば、このような事情等を考慮して、印刷装置１０は、指定ウェブページ２１０のページ記述データ２３０（図１４）内の文字列を解析して、「ＰＲＩＮＴ」（大文字であるか小文字であるかを問わない）の文字列を含むタグを検索する。そして、印刷装置１０は、当該タグに含まれるＵＲＬ（あるいは当該文字列「ＰＲＩＮＴ」の所定の近傍範囲内に存在するＵＲＬ）を、関連ウェブページ２２０のＵＲＬとして抽出する。図１４の例では、部分２３１において、文字列「ＰＲＩＮＴ」を含むタグが検出されるとともに、当該タグに含まれるＵＲＬ「http://xxx_yyy_zzz.com/print」が、関連ウェブページ２２０のＵＲＬとして特定される。
【００７７】
次のステップＳ４３において、関連ウェブページ２２０のＵＲＬがステップＳ４２で特定された旨が判定されると、ステップＳ４３からステップＳ４４に進む。なお、ステップＳ４３の判定処理において、関連ウェブページのＵＲＬがステップＳ４２で特定できなかった旨が判定される場合には、本処理は終了する。
【００７８】
ステップＳ４４においては、印刷装置１０は、ステップＳ４２で特定されたＵＲＬを用いて関連ウェブページ２２０にアクセスし、当該関連ウェブページ２２０のページデータを取得する。そして、印刷装置１０は、当該ページデータ等に基づき、関連ウェブページ２２０を新たな印刷対象の候補として印刷装置１０のタッチパネル２５に表示する。図１５は、このような表示画面（印刷確認画面）５１０を示す図である。図１５の画面５１０においては、ステップＳ４２で特定された関連ウェブページ２２０のプレビュー画面が（比較的上側に）表示されるとともに、「指定ＵＲＬのウェブページに関連した別のウェブページ（関連ウェブページ）が存在します。この関連ウェブページを印刷しますか？」の文言が（比較的下側に）表示されている。さらに、当該画面５１０においては、「はい」ボタンおよび「いいえ」ボタンも併せて表示されている。
【００７９】
印刷制御装置５０を用いて印刷指示を付与したユーザＵＡは、印刷装置１０の載置場所に移動してくると、ステップＳ４１で印刷装置１０によって印刷出力された印刷出力物を視認して、当該印刷出力物が本来の所望の印刷出力物であるか否かを判断する。そして、ユーザＵＡは、その判断結果に基づき、タッチパネル２５に印刷候補として提示されている関連ウェブページ２２０を実際に印刷するか否かを決定する。
【００８０】
仮に、当該印刷出力物が本来の所望の印刷出力物である場合には、関連ウェブページ２２０の印刷は不要であり、画面５１０内の「いいえ」ボタンが押下される。そして、（ステップＳ４６，Ｓ４７の処理は行われず、）ステップＳ４８に進む。ステップＳ４８では、検索条件の自動登録動作が行われる。具体的には、データテーブル４１０の関連ウェブページ検索に関して、検索条件として「ＰＲＩＮＴ」が設定されるとともに、検索条件の有効無効情報（「検索設定（検索可否設定）」）として「有効」が設定される。なお、ここでは、検索条件の自動登録動作が行われているが、これに限定されない。たとえば、当該検索条件を設定するか否かを確認する画面を表示し、当該画面に対する入力結果に基づく登録（手動登録）が実行されるようにしてもよい。なお、この「検索設定」に関する情報は、後の処理で利用される。
【００８１】
一方、ステップＳ４１で印刷出力された印刷出力物が本来の所望の印刷出力物ではなく且つステップＳ４２でタッチパネル２５に表示された関連ウェブページ２２０が本来印刷されるべきものである場合には、ユーザＵＡは、画面５１０内の「はい」ボタンを押下する。そして、ステップＳ４６の処理が行われる。
【００８２】
ステップＳ４６では、印刷装置１０は、関連ウェブページ２２０を印刷出力する。具体的には、印刷装置１０は、ステップＳ４４で取得されたページデータに基づき関連ウェブページ２２０に関する印刷出力を行う（関連ウェブページ２２０の画面を印刷出力する）。より詳細には、関連ウェブページ２２０のページデータに基づき印刷出力用データが生成され、当該印刷出力用データに基づき関連ウェブページ２２０が印刷出力される。
【００８３】
さらに、ステップＳ４７において、関連ウェブページ設定の自動登録動作が行われる。具体的には、印刷装置１０は、図１３に示すように、データテーブル４１０において、指定ＵＲＬ「http://xxx_yyy_zzz.com」に対応する関連ウェブページのＵＲＬとしてステップＳ４２で取得されたＵＲＬ「http://xxx_yyy_zzz.com/print」、を登録（追加登録）する。また、当該指定ＵＲＬ（指定ウェブページ２１０）から当該関連ウェブページ２２０への「変更設定（強制変更設定）」が「有効」に設定される。このような登録は、印刷確認画面５１０での確認後に関連ウェブページ２２０が印刷されることに応じて、自動的に行われる。この「強制変更設定」に関する情報は、後の処理で利用される。
【００８４】
なお、ここでは、関連ウェブページ２２０がデータテーブル４１０に自動的に登録されているが、これに限定されない。たとえば、ステップＳ４７において、当該関連ウェブページ２２０の登録確認用の画面（登録確認画面）５２０（図１６）がタッチパネル２５に表示され、ユーザによる当該登録確認画面５２０を用いた登録指示入力に応じて、関連ウェブページ２２０がユーザによって登録される（手動登録される）ようにしてもよい。
【００８５】
登録確認画面５２０内の左上部分においては指定ウェブページ２１０（ＵＲＬ「http://xxx_yyy_zzz.com」等）がプレビュー表示されており、登録確認画面５２０内の右上部分においては関連ウェブページ２２０（ＵＲＬ「http://xxx_yyy_zzz.com/print」等）がプレビュー表示されている。また、登録確認画面５２０内の下側部分に、「指定ウェブページ（左側のウェブページ）に関する印刷指示が付与されるときには当該ウェブページに代えて右側の関連ウェブページを常に印刷する旨、を設定登録しますか？」の文言が表示されている。さらに、当該画面５２０においては、「はい」ボタンおよび「いいえ」ボタンも併せて表示されている。
【００８６】
ユーザＵＡは、この登録確認画面５２０の内容を確認して、「はい」ボタンを押下すると、上記の自動登録内容と同じ内容がデータテーブル４１０において登録される。「いいえ」ボタンが押下されるときには、データテーブル４１０への指定ＵＲＬの登録は全く行われない。あるいは、「いいえ」ボタンが押下されるときには、指定ＵＲＬの登録自体（および関連ウェブページのＵＲＬの登録自体）は行われるものの、「変更設定」が「無効」に設定されるようにしてもよい。さらに、「いいえ」ボタンが押下されるときには、関連ウェブページ検索に関してステップＳ４８と同様の内容が自動的に登録されるようにしてもよい。
【００８７】
また、ここでは、ステップＳ４１の処理の後にステップＳ４２〜Ｓ４４の処理が実行されているが、これに限定されない。たとえば、ステップＳ４１の処理とステップＳ４２〜Ｓ４４の処理とが並行して（並列的に）実行されるようにしてもよい。これによれば、ステップＳ４１における指定ウェブページ２１０の印刷出力が終了するのを待たずにプレビュー表示（ステップＳ４４）が行われるので、効率的な処理を実現することが可能である。
【００８８】
以上のようにして、ユーザＵＡによる指定ウェブページ２１０の印刷処理および／または関連ウェブページ２２０の印刷処理等が行われる。このような動作によれば、指定ＵＲＬ付きの印刷指令が印刷制御装置５０から印刷装置１０へと送信されてきた場合には、印刷装置１０は、当該印刷指令に含まれる指定ＵＲＬのウェブページ（指定ウェブページ）２１０を解析して、指定ウェブページ２１０に関連する関連ウェブページ２２０を特定する（ステップＳ４２）。そして、印刷装置１０は、当該関連ウェブページ２２０を印刷候補としてユーザに提示し（ステップＳ４４）、ユーザの印刷承認後に当該関連ウェブページ２２０を印刷出力する（ステップＳ４６）。したがって、本来印刷すべきウェブページをより確実に印刷することが可能であるとともに、本来印刷出力するべき関連ウェブページ２２０を容易に印刷出力することが可能である。
【００８９】
また、上述のような印刷処理が一度行われた指定ＵＲＬに関して２回目以降の印刷処理が行われる場合には、データテーブル４１０に登録された情報が用いられる。ここでは、ステップＳ４７の登録処理が行われたものとして説明を続ける。
【００９０】
以下では、上記のユーザＵＡとは別のユーザＵＢによって、上記と同じ指定ＵＲＬに対する印刷指示が付与された状況を想定する。このような状況において、印刷装置１０は、印刷制御装置５０からの印刷指令（ユーザＵＢによる印刷指示に基づく印刷指令）を受信すると、データテーブル４１０を参照して、指定ウェブページ２１０をそのまま印刷するべきか或いは関連ウェブページ２２０を印刷するべきかなどを判定する。
【００９１】
再び図４および図５等を参照する。ユーザＵＢの操作に応じて印刷制御装置５０（詳細には５０ｂ）が、指定ＵＲＬを付加した印刷用データ３１０を印刷装置１０に送信し（ステップＳ１３（図４））、当該印刷装置１０が当該印刷用データ３１０を受信する（ステップＳ３１）。そして、ステップＳ３２を経由してステップＳ３３に進む。
【００９２】
ステップＳ３３においては、指定ＵＲＬがデータテーブル４１０に既に登録されていると判定され、ステップＳ３４に進む。ステップＳ３４では、データテーブル４１０を参照して、判定処理が行われる。ステップＳ３４においては、指定ＵＲＬに関する「強制変更設定」が有効であるか否かが判定される。
【００９３】
ステップＳ３４において、指定ＵＲＬに関する「強制変更設定」が有効であると判定される場合には、ステップＳ５１に進む。たとえば、上述のステップＳ４７（図６）において指定ウェブページ２１０に関する「強制変更設定」が「有効」に設定されている場合（図１３参照）には、ステップＳ５１に進む。
【００９４】
ステップＳ５１においては、印刷装置１０は、データテーブル４１０を参照し、指定ウェブページ２１０に対応する関連ウェブページ２２０を新たな印刷対象の候補として特定する。そして、印刷装置１０は、新たな印刷対象の候補として特定された当該関連ウェブページ２２０をそのまま新たな印刷対象として決定し、当該関連ウェブページ２２０を指定ウェブページ２１０に代えて印刷する。また、次のステップＳ５２において、印刷装置１０は、図１７のような警告画面５４０をタッチパネル２５に表示する。警告画面５４０内の左上部分においては指定ウェブページ２１０（ＵＲＬ「http://xxx_yyy_zzz.com」等）がプレビュー表示されるとともに、警告画面５４０内の右上部分においては関連ウェブページ２２０（ＵＲＬ「http://xxx_yyy_zzz.com/print」等）がプレビュー表示される。また、警告画面５４０内の下側部分には、「指定ＵＲＬのウェブページ（左側のウェブページ）に代えて、右側の関連ウェブページを印刷出力しました。ご確認ください。」の文言が表示される。このように、警告画面５４０においては、関連ウェブページ２２０を指定ウェブページ２１０に代えて印刷した旨等が表示される。
【００９５】
このように、ユーザＵＡによる指定ＵＲＬと同じＵＲＬが指定されてユーザＵＢによる印刷指示が付与された場合において、印刷装置１０は、データテーブル４１０（より詳細には、指定ＵＲＬに関する強制変更設定）に基づいて、指定ウェブページ２１０ではなく関連ウェブページ２２０を印刷する（ステップＳ５１）。これによれば、ユーザＵＢが、ユーザＵＡと同様に、本来は（指定ウェブページではなく）関連ウェブページ２２０を印刷したいと考えているにもかかわらず過誤により指定ウェブページ２１０を印刷対象として指定してしまった場合であっても、本来印刷すべきウェブページ２２０が印刷され得る。したがって、本来印刷すべきウェブページをより確実に印刷することが可能である。
【００９６】
また、印刷装置１０は、ユーザＵＢによる印刷指示に基づく印刷指令（印刷制御装置５０からの印刷指令）に対して、関連ウェブページ２２０を印刷する（ステップＳ５１）一方で、当該印刷指令で指定されていた元の指定ウェブページ２１０を印刷しないので、過誤の印刷指示に基づく無駄な印刷出力を抑制することが可能である。
【００９７】
さらに、上述のような警告画面５４０（図１７）がユーザに提示されることによれば、指定されたウェブページ２１０とは異なるウェブページ（関連ウェブページ）２２０が印刷出力されていることをユーザが正確に認識することが可能である。
【００９８】
一方、ステップＳ３４において、指定ＵＲＬに関する「強制変更設定」が無効であると判定される場合には、ステップＳ３５に進む。
【００９９】
ステップＳ３５にて指定ＵＲＬに関する「検索設定」が「無効」であることが判定されるときには、ステップＳ４０の処理は実行されずに、上述のステップＳ９０（通常の印刷処理）が実行される。
【０１００】
ステップＳ３５にて指定ＵＲＬに関する「検索設定」が「有効」であることが判定されるときには、ステップＳ６０（図１８参照）に進む。ステップＳ６０においては、ステップＳ４０（図６参照）に類似した処理が実行される。ただし、図１８に示すように、ステップＳ６０では、指定ＵＲＬの印刷出力（ステップＳ４１（図６参照））は行われず、その一方で、解析処理（ステップＳ４２）が行われるとともに、解析処理に結果に基づく関連ウェブページの印刷処理（ステップＳ４６）が行われる。ステップＳ４２においては、データテーブル４１０の関連ウェブページ検索に関する設定内容（検索設定「有効」および検索条件「ＰＲＩＮＴ」）に基づいて、関連ウェブページ２２０が特定される。さらに、ステップＳ４９において警告表示処理も実行される。ステップＳ４９においては、図１７に示すような警告画面５４０がタッチパネル２５に表示される。
【０１０１】
このように、ステップＳ６０において、印刷装置１０は、データテーブル４１０（より詳細には、指定ＵＲＬに関する「検索設定」が有効であること）等に基づいて、指定ウェブページ２１０に対応する関連ウェブページ２２０を検索し（ステップＳ４２）、検索された関連ウェブページ２２０を指定ウェブページ２１０に代えて印刷する（ステップＳ４６）。これによれば、ユーザＵＢが、本来は（指定ウェブページではなく）関連ウェブページを印刷したいと考えているにもかかわらず過誤により指定ウェブページを印刷対象として指定してしまった場合であっても、本来印刷すべきウェブページ（関連ウェブページ）が印刷され得る。したがって、本来印刷すべきウェブページをより確実に印刷することが可能である。また、ステップＳ４９にて警告表示がユーザに提示されることによれば、指定されたウェブページ２１０とは異なるウェブページ（関連ウェブページ）２２０が印刷出力されていることをユーザが正確に認識することも可能である。
【０１０２】
＜１−５．変型例＞
なお、上記実施形態においては、ステップＳ４０（図６）において、一旦、指定ウェブページ２１０が印刷出力されているが、これに限定されない。
【０１０３】
たとえば、ステップＳ４０の動作に代えてステップＳ７０（図１９）の動作が実行されるようにしてもよい。具体的には、図１９に示すように、指定ＵＲＬの印刷出力（ステップＳ４１（図６参照））は行われず、その一方で、解析処理（ステップＳ４２）が行われるとともに、解析処理に結果に基づき選択画面５５０（図２０）がタッチパネル２５に表示される（ステップＳ７４）ようにしてもよい。
【０１０４】
選択画面５５０は、指定ウェブページ２１０と関連ウェブページ２２０とのいずれを印刷するかを指定（選択）するための画面である。選択画面５５０においては、その左上部分において指定ウェブページ２１０（ＵＲＬ「http://xxx_yyy_zzz.com」等）がプレビュー表示されるとともに、その右上部分において関連ウェブページ２２０（ＵＲＬ「http://xxx_yyy_zzz.com/print」等）がプレビュー表示される。このように、選択画面５５０においては、２つの選択肢（２つのウェブページ２１０，２２０）が新たな印刷対象の候補として表示される。また、選択画面５５０内の下側部分には、「指定ＵＲＬのウェブページ（左側のウェブページ）に関連する右側のウェブページも存在します。どちらを印刷しますか？（印刷したい方の領域（ボタン）を押下してください。）」の文言が表示される。ユーザは、当該画面５５０を用いて、両ウェブページ２１０，２２０のいずれを印刷出力すべきかに関する指示を付与する。
【０１０５】
ユーザが左側領域を押下して指定ウェブページ２１０を印刷対象として選択すると、指定ウェブページ２１０の印刷出力処理（ステップＳ７６）を含む処理（ステップＳ４５，Ｓ７６，Ｓ４８）が実行される。これにより、元の印刷指示で指示されていた指定ウェブページ２１０がそのまま最終的に印刷出力される。
【０１０６】
一方、ユーザが右側領域を押下して関連ウェブページを印刷対象として選択すると（換言すれば、プレビュー表示された関連ウェブページ２２０を印刷出力すべき旨の新たな指示が入力部５６により受け付けられると）、当該新たな指示に応じて関連ウェブページが印刷出力されるなどの処理（ステップＳ４５，Ｓ４６，Ｓ４７）が実行される。これにより、印刷指示で指定されたウェブページとは異なる関連ウェブページが印刷出力される。
【０１０７】
このように、印刷装置１０は、関連ウェブページ２２０を検索し（ステップＳ４２）、検索された関連ウェブページ２２０と印刷対象として指定されていた指定ウェブページ２１０とのいずれを印刷すべきかをユーザＵＢに問い合わせる（ステップＳ７４）。これによれば、たとえば、ユーザＵＢが、本来は（指定ウェブページではなく）関連ウェブページ２２０を印刷したいと考えているにもかかわらず過誤により指定ウェブページ２１０を印刷対象として指定してしまった場合には、関連ウェブページ２２０が（本来印刷すべきウェブページとして）印刷され得る。一方、ユーザＵＢが、やはり指定ウェブページ２１０を印刷したいと考える場合には、ユーザＵＢの意思が尊重され、（本来印刷すべきウェブページとして）指定ウェブページ２１０が印刷される。したがって、本来印刷すべきウェブページ（２２０あるいは２１０）をさらに確実に印刷することが可能である。
【０１０８】
なお、ステップＳ７０の処理は、ステップＳ４０の処理に代えて実行されるのみならず、ステップＳ６０（図５）の処理に代えて実行されるようにしてもよい。具体的には、ステップＳ３５で「ＹＥＳ」と判定された場合に、ステップＳ７０の処理が実行されるようにしてもよい。
【０１０９】
また、ステップＳ６０（図１８）において、ステップＳ４２の直前等にて指定ウェブページ２１０の印刷出力も行われるようにしてもよい。
【０１１０】
＜２．第２実施形態＞
第２実施形態は、第１実施形態の変形例である。以下では、第１実施形態との相違点を中心に説明する。
【０１１１】
上記第１実施形態等においては、印刷制御装置５０を用いて印刷指示を付与したユーザが印刷装置１０の載置場所に移動して、印刷出力物を確認等する態様が例示されている。換言すれば、印刷指示を付与したユーザと同一のユーザが印刷出力物を取得する態様が例示されている。しかしながら、本発明は、これに限定されない。たとえば、印刷指示を付与したユーザとは異なるユーザが印刷出力物を取得するようにしてもよい。また、ステップＳ４１，Ｓ４４，Ｓ４６，Ｓ５１（図５および図６参照）等による処理結果（印刷出力物および／またはプレビュー表示画面等）がユーザＵＡ，ＵＢとは別のユーザ（ＵＣ等）によって確認されるようにしてもよい。この第２実施形態では、このような態様について説明する。
【０１１２】
第２実施形態においては、ウェブサーバ９０を用いて出張旅費精算処理を行うシステム１を例示する。各ユーザＵＡ，ＵＢ（たとえば出張者）は、自らのスマートフォン等を印刷制御装置５０として利用し、印刷制御装置５０に対して印刷指示を付与する（図４参照）。また、この印刷指示に応じて、指定ウェブページ２１０のＵＲＬを含む印刷指令が、印刷制御装置５０から（社内に配置された）印刷装置１０に送信される。
【０１１３】
ここにおいて、図２１は、出張者によって用いられる入力画面（入力用ウェブページ）２１０（２１２）を示す図であり、図２２は、最終的な正規の印刷画面（印刷用ウェブページ）２２０（２２２）を示す図である。本来は、入力画面２１２内に設けられた印刷ボタン２１５を押下することによって正規の印刷画面２２２が表示され、当該印刷画面２２２に対する印刷指示が付与される。これに応じて、印刷画面２２２のＵＲＬを指定した印刷指令が印刷装置１０に送信され、正規の印刷処理が印刷装置１０にて行われる。
【０１１４】
しかしながら、出張者は、過誤により、印刷画面２２２に遷移する前の入力画面２１２に対してそのまま印刷指示を付与してしまうことがある。その場合には、入力画面２１２のＵＲＬを指定ウェブページ２１０のＵＲＬとして指定した印刷指令が、印刷制御装置５０から印刷装置１０に送出される。
【０１１５】
仮に、印刷装置１０が当該印刷指令に従ってそのまま印刷処理を実行してしまうと、本来印刷すべきウェブページ２２０とは異なるウェブページ２１０（入力画面２１２）のみが印刷出力される。本来出力されるべき関連ウェブページ２２０（正規の印刷画面２２２）は、そのままでは印刷されない。そのため、たとえば、ユーザＵＣ（社内での受信者）は、ユーザＵＢ（出張者）等と連絡を取って再印刷出力（ただし、正規のウェブページの印刷出力）を依頼することなどが求められる。
【０１１６】
そこで、この第２実施形態では、上記第１実施形態等と同様の思想を適用する。具体的には、図５〜図７等の動作が実行される。
【０１１７】
たとえば、ユーザＵＡからの印刷指令に含まれる指定ＵＲＬ（指定ウェブページ２１０のＵＲＬ）が、データテーブル４１０に登録されていない場合（ステップＳ３３でＮＯ）には、ステップＳ３３からステップＳ４０に進む。
【０１１８】
このとき、図６のステップＳ４１，Ｓ４４，Ｓ４６による処理結果（印刷出力物および／またはプレビュー表示画面等）がユーザＵＡとは別のユーザ（たとえばユーザＵＣ）によって確認される。具体的には、ユーザＵＣ（たとえば、社内での勤務者）は、ユーザＵＡ（出張者）からの出張旅費精算書に関する印刷出力物（ステップＳ４１での印刷出力物）が正規のものであるか否かを判断する。また、タッチパネル２５にステップＳ４４でプレビュー表示された関連ウェブページ２２０（２２２）が正規のものであるか否かをも、ユーザＵＣが判定する（ステップＳ４４）。
【０１１９】
そして、ステップＳ４１で印刷出力されたウェブページ２１０（２１２）が正規のものではなく且つステップＳ４４でプレビュー表示されているウェブページ２２０（２２２）が正規のものである旨をユーザＵＣが判断すると、ユーザＵＣは、関連ウェブページ２２２を印刷出力する操作等を行い、上記ステップＳ４６の処理と同様の処理が行われる。また、ステップＳ４７の処理も第１実施形態と同様にして行われる。
【０１２０】
このように、指定ＵＲＬ付きの印刷指令が印刷制御装置５０から印刷装置１０へと送信されてきた場合には、印刷装置１０は、当該印刷指令に含まれる指定ＵＲＬのウェブページ（指定ウェブページ）２１２を解析して、指定ウェブページ２１２に関連する関連ウェブページ２２２を特定する（ステップＳ４２）。そして、印刷装置１０は、当該関連ウェブページ２２２を印刷候補としてユーザに提示し（ステップＳ４４）、ユーザＵＣの印刷承認後に当該関連ウェブページ２２２を印刷出力する（ステップＳ４６）。したがって、本来印刷出力するべき関連ウェブページ２２２を容易に印刷出力することが可能である。換言すれば、本来印刷すべきウェブページをより確実に印刷することが可能である。
【０１２１】
また、ステップＳ４１で印刷出力されたウェブページが正規のものである場合、或いは、ステップＳ４４でプレビュー表示されているウェブページが正規のものではない場合には、ユーザＵＣは、関連ウェブページを印刷出力しない旨を決定する。そして、上記ステップＳ４８の処理と同様の処理が行われる。
【０１２２】
一方、ユーザＵＡからの印刷指令に含まれる指定ＵＲＬ（指定ウェブページのＵＲＬ）が、データテーブル４１０に登録されている場合（ステップＳ３３でＹＥＳ）には、ステップＳ３３からステップＳ３４に進む。
【０１２３】
データテーブル４１０における強制変更設定が「有効」であるときには、ステップＳ３４からステップＳ５１に進む。
【０１２４】
データテーブル４１０における強制変更設定が「無効」であるときには、ステップＳ３４からステップＳ３５に進む。さらにデータテーブル４１０における検索設定が「有効」であるときには、ステップＳ３５からステップＳ６０に進む。そして、上述のステップＳ６０の処理が行われる。なお、これに限定されず、上述の変形例のように、ステップＳ６０の処理に代えてステップＳ７０の処理が行われるようにしてもよい。ステップＳ６０，Ｓ７０の処理においても、ユーザＵＣによる確認処理等が行われればよい。
【０１２５】
その後、別のユーザＵＢ（別の出張者等）から新たな印刷指示が付与される場合（具体的には、ユーザＵＡによる指定ＵＲＬと同じＵＲＬが指定されてユーザＵＢによる印刷指示が付与される場合）においても、上述の動作と同様の動作が行われる。
【０１２６】
特に、データテーブル４１０にて当該指定ＵＲＬが登録済みであり且つ強制変更設定が「有効」である場合には、印刷装置１０は、データテーブル４１０に基づいて、指定ウェブページ２１０ではなく関連ウェブページ２２０を印刷する（ステップＳ３３，Ｓ３４，Ｓ５１）。これによれば、過誤により指定ウェブページが印刷対象として指定されてしまった場合であっても、本来印刷すべきウェブページ（関連ウェブページ）が印刷され得る。したがって、本来印刷すべきウェブページをより確実に印刷することが可能である。また、ユーザＵＣ（社内での受信者）がユーザＵＢ（出張者）等と連絡を取って再印刷出力を依頼することを要しないので、非常に効率的である。
【０１２７】
また、データテーブル４１０にて当該指定ＵＲＬが登録済みであり且つ強制変更設定が「無効」であり且つ検索設定が「有効」であるときには、ステップＳ６０の処理が実行される。これによれば、過誤により指定ウェブページが印刷対象として指定されてしまった場合であっても、本来印刷すべきウェブページ（関連ウェブページ）が印刷され得る。したがって、本来印刷すべきウェブページをより確実に印刷することが可能である。また、ユーザＵＣ（社内での受信者）がユーザＵＢ（出張者）等と連絡を取って再印刷出力を依頼することを要しないので、非常に効率的である。
【０１２８】
＜３．第３実施形態＞
上記各実施形態等においては、関連ウェブページ２２０のＵＲＬが主に印刷装置１０によって取得されている（ステップＳ４２）が、これに限定されず、関連ウェブページ２２０のＵＲＬが印刷制御装置５０によって取得されるようにしてもよい。たとえば、第１実施形態において、次のような改変が行われるようにしてもよい。
【０１２９】
より詳細には、ステップＳ１３において、印刷制御装置５０は、ウェブサーバ９０内の指定ＵＲＬに対するＨＴＴＰリクエストに応答して返信されてきていたＨＴＴＰレスポンスのデータ（レスポンスデータ）を解析して、指定ＵＲＬに関連する関連ウェブページ２２０のＵＲＬを取得する。換言すれば、印刷制御装置５０は、指定ウェブページ２１０にアクセスして取得された指定ウェブページ２１０（詳細にはそのページデータ）を解析することによって、指定ウェブページ２１０に対応する関連ウェブページ２２０を決定する。また、印刷制御装置５０は、図２３に示すような印刷用データ（ＰＪＬ等で記述されたデータ）３１０（３１２）を生成して、当該印刷用データ３１２（２つのＵＲＬを含む印刷指令）を印刷装置１０に送信する（図２４も参照）。当該印刷用データ３１０（３１２）には、指定ウェブページ２１０のＵＲＬに加えて、印刷制御装置５０により取得された関連ウェブページ２２０のＵＲＬもが記述されている（「@PJL SET RERATED_WEBURL = http://xxx_yyy_zzz.com/print/」）。印刷装置１０は、データテーブル４１０に関連ウェブページ２２０が未だ登録されていない場合等において、印刷制御装置５０から受信した印刷指令に基づき、指定ウェブページ２１０に対応する関連ウェブページ２２０を特定する。詳細には、当該印刷用データ３１２に記述されたＵＲＬ（関連ウェブページ２２０のＵＲＬ）に基づいて、当該関連ウェブページ２２０が新たな印刷対象の候補として特定される。そして、印刷装置１０は、当該関連ウェブページ２２０を印刷出力（および／またはプレビュー表示）する。このような動作が行われるようにしてもよい。
【０１３０】
なお、図２３においては、ＰＪＬで記述された印刷用データ３１０（３１２）内に、関連ウェブページ２２０のＵＲＬもが含まれているが、これに限定されない。たとえば、関連ウェブページ２２０のＵＲＬは、印刷用データ３１０（３１５）（図１０）とは別のデータ（３４０）として送信されるようにしてもよい。図２５は、この変形例において印刷装置１０宛に送信されるデータを示す図である。図２５に示すように、印刷用データ３１０（３１５（あるいは３１１））とデータ３４０（関連ウェブページ２２０のＵＲＬを含むデータ）とが印刷制御装置５０から印刷装置１０に送信されるようにしてもよい。図２５のデータ３４０においては、指定ウェブページ２１０のＵＲＬを関連ウェブページ２２０のＵＲＬに変更すべき旨（「Change URL = “http://xxx_yyy_zzz.com/print/” From “http://xxx_yyy_zzz.com/”」）が記述されている。このようなデータ３４０が、印刷用データ３１０（３１５（図１０）あるいは３１１（図１１））等に加えて、印刷制御装置５０から印刷装置１０に送信されるようにしてもよい。また、当該データ３４０は、印刷用データ３１０と並行して（並列的）に送信されてもよく、あるいは非同時に（たとえば、印刷用データ３１０の直後に）送信されてもよい。このように、指定ウェブページのＵＲＬを含む印刷指令は、印刷用データ３１０とデータ３４０とに分割して送信されるようにしてもよい。
【０１３１】
また、第２実施形態に関しても同様の改変が行われ得る。
【０１３２】
＜４．その他＞
以上、この発明の実施の形態について説明したが、この発明は上記説明した内容のものに限定されるものではない。
【０１３３】
たとえば、上記各実施形態等においては、関連ウェブページ２２０が印刷出力されたことに基づいて当該関連ウェブページ２２０がデータテーブル４１０に登録されているが、本発明はこれに限定されない。具体的には、特定ウェブページ（印刷ミスが発生し易いウェブページ等）のＵＲＬと当該特定ウェブページに関連する関連ウェブページのＵＲＬとを管理者等がデータテーブル４１０に予め登録するようにしてもよい。
【０１３４】
また上記各実施形態等では、印刷用データ３１０に含まれる指定ＵＲＬがデータテーブル４１０に登録されていない場合等において、指定ＵＲＬのウェブページに関連する関連ウェブページのＵＲＬが解析処理によって取得され登録されている（ステップＳ４２，Ｓ４７）が、これに限定されない。
【０１３５】
たとえば、関連ウェブページは、解析処理によって取得されて登録されるのみならず、ユーザによる所謂ウェブサーフィン操作（手動操作）に応じて登録（手動登録）されるようにしてもよい。
【０１３６】
具体的には、印刷用データ３１０に含まれる指定ＵＲＬがデータテーブル４１０に登録されていない場合（ステップＳ３３（図５）でＮＯと判定された場合）等において、印刷装置１０に内蔵されたウェブブラウザが指定ＵＲＬにアクセスして指定ＵＲＬのウェブページをタッチパネル２５に表示した後に、当該ウェブブラウザがウェブページ内のリンク先への移動指示を受け付ける。そして、当該移動指示に応じた移動後（ジャンプ後）の別のウェブページ（新たなウェブページ）が表示されると、当該別のウェブページが関連ウェブページ２２０として手動操作に応じて登録されるようにしてもよい。
【０１３７】
より詳細には、印刷装置１０は、図２６に示すような登録画面５６０をタッチパネル２５に表示している状態において、ユーザからの操作入力を受け付けるようにすればよい。登録画面５６０内の上側には、印刷装置１０のウェブブラウザによるブラウジング中画面の表示領域が設けられ、当該表示領域には移動先の新たなウェブページが表示されている。また、登録画面５６０内の下側には、「上のブラウザ画面に表示されているページを、関連ウェブページとして登録（および印刷）します。下のいずれかボタンを選択してください。」の文言と、３つのボタン５６６，５６７，５６８とが表示されている。
【０１３８】
ボタン５６６が押下されると、印刷装置１０は、印刷装置１０のブラウザ画面に表示されているウェブページ（２２０）を印刷出力するとともに、当該ウェブページのＵＲＬを関連ウェブページ２２０のＵＲＬとして指定ウェブページ２１０のＵＲＬに対応付けてデータテーブル４１０に登録する。ボタン５６７が押下されると、印刷装置１０は、表示中のウェブページ（２２０）を印刷出力することなく、当該ウェブページ（２２０）のＵＲＬを関連ウェブページ２２０のＵＲＬとして指定ウェブページ２１０のＵＲＬに対応付けてデータテーブル４１０に登録する。キャンセルボタン５６８が押下されると、印刷装置１０は、印刷指令をキャンセルし、当該印刷指令に応じた処理を中断する。
【０１３９】
以上のような登録処理が行われた後、同じウェブページ２１０に対する新たな印刷指令が受信された場合に、データテーブル４１０の登録内容に基づいて、関連ウェブページ２２０の印刷処理（ステップＳ５１，Ｓ４４）等が行われる。このような動作によっても、本来印刷すべきウェブページをより確実に印刷することが可能である。
【０１４０】
また、上記各実施形態等において、関連ウェブページ２２０が印刷出力される際には、指定ウェブページ２１０に対する印刷設定が引き継がれるようにしてもよい。換言すれば、指定ウェブページ２１０に対する印刷設定が関連ウェブページ２２０にも適用されて、当該関連ウェブページ２２０が印刷出力されるようにすればよい。たとえば、「２ｉｎ１」且つ「両面印刷」による印刷設定が指定ウェブページ２１０に対して設定されているときには、関連ウェブページ２２０も同じ印刷設定（「２ｉｎ１」且つ「両面印刷」）で印刷されるようにすればよい。これによれば、印刷設定を再度行うことを要しないので、簡便である。
【０１４１】
また、上記各実施形態等において、指定ウェブページ２１０に対するアクセスにおいて認証情報（ログインＩＤおよびパスワード等）が要求される場合には、当該指定ウェブページ２１０に対する認証情報をも印刷制御装置５０から印刷装置１０に送信しておくようにしてもよい。そして、印刷装置１０は、当該認証情報を格納部に格納しておき、当該認証情報を用いて指定ウェブページ２１０に対するアクセスを行うようにしてもよい。これによれば、印刷装置１０からウェブサーバ９０にアクセスする際（ステップＳ４２等）においてユーザによる認証情報の再入力を行わずに済むので、簡便である。なお、指定ウェブページ２１０に対する認証情報と関連ウェブページ２２０に対する認証情報とが共通である場合には、指定ウェブページ２１０に対する認証情報を利用して、関連ウェブページ２２０に対するアクセス（ステップＳ４４等）も行われるようにしてもよい。
【０１４２】
また、上記各実施形態等においては、印刷制御装置５０にプリンタドライバがインストールされている態様が例示されているが、これに限定されない。たとえば、印刷制御装置５０にプリンタドライバがインストールされていなくてもよい。その場合には、印刷制御装置５０は、（指定ウェブページ２１０印刷用の画像データを伴わずに）印刷装置１０に向けて指定ウェブページ２１０のＵＲＬを印刷指令とともに送信すればよい。印刷装置１０は、指定ウェブページ２１０のＵＲＬを印刷制御装置５０から受信すると、当該ＵＲＬにアクセスして当該指定ウェブページ２１０のＨＴＭＬデータ等（ページ記述言語で記述されたページデータ）を取得する。そして、印刷装置１０は、当該ページデータに基づく出力対象の画面を示す画像データを生成し、当該画像データに基づいて当該出力対象の画面を印刷出力すればよい。
【０１４３】
また、上記各実施形態においては、関連ウェブページ２２０のプレビュー画面がタッチパネル２５に表示されているが、これに限定されない。たとえば、関連ウェブページ２２０のプレビュー画面（画面５１０（図１５）および画面５５０（図２０）等）が印刷装置１０のタッチパネル２５に表示されることに加えて（あるいは当該タッチパネル２５に表示されることに代えて）、印刷制御装置５０の表示部５５に表示（プレビュー表示等）されるようにしてもよい。さらに、表示部５５に表示された画面（５１０，５５０等）に対する操作入力が入力部５６により受け付けられ、当該操作入力の内容が印刷制御装置５０から印刷装置１０に通知（送信）されるようにしてもよい。たとえば、プレビュー表示された関連ウェブページ２２０を印刷出力すべき旨の指示が入力部５６により受け付けられると、当該指示に応じて関連ウェブページ２２０を印刷すべき旨が印刷制御装置５０から印刷装置１０に送信されるようにしてもよい。
【０１４４】
他の画面５２０（図１６）および画面５４０（図１７）に関しても同様である。画面５２０，５４０が印刷装置１０のタッチパネル２５に表示されることに加えて（あるいは当該タッチパネル２５に表示されることに代えて）、印刷制御装置５０の表示部５５に表示されるようにしてもよい。また、表示部５５に表示された画面（５２０，５４０等）に対する操作入力が入力部５６により受け付けられ、当該操作入力の内容が印刷制御装置５０から印刷装置１０に通知（送信）されるようにしてもよい。たとえば、指定ウェブページ２１０に代えて関連ウェブページ２２０を常に印刷する旨を登録すべき旨を示す操作入力内容等が、印刷制御装置５０から印刷装置１０に通知されるようにしてもよい。
【符号の説明】
【０１４５】
１  印刷システム
３  印刷出力部
１０  印刷装置
２５  タッチパネル
５０  印刷制御装置
８０  （印刷制御装置５０の）ウェブブラウザ
９０  ウェブサーバ
２１０  指定ウェブページ
２２０  関連ウェブページ
３１０  印刷用データ
４１０  データテーブル
【図１】
0006394311.tif 000002
【図２】
0006394311.tif 000003
【図３】
0006394311.tif 000004
【図４】
0006394311.tif 000005
【図５】
0006394311.tif 000006
【図６】
0006394311.tif 000007
【図７】
0006394311.tif 000008
【図８】
0006394311.tif 000009
【図９】
0006394311.tif 000010
【図１０】
0006394311.tif 000011
【図１１】
0006394311.tif 000012
【図１２】
0006394311.tif 000013
【図１３】
0006394311.tif 000014
【図１４】
0006394311.tif 000015
【図１５】
0006394311.tif 000016
【図１６】
0006394311.tif 000017
【図１７】
0006394311.tif 000018
【図１８】
0006394311.tif 000019
【図１９】
0006394311.tif 000020
【図２０】
0006394311.tif 000021
【図２１】
0006394311.tif 000022
【図２２】
0006394311.tif 000023
【図２３】
0006394311.tif 000024
【図２４】
0006394311.tif 000025
【図２５】
0006394311.tif 000026
【図２６】
0006394311.tif 000027